(57)【要約】【課題】  細幅パルスでの放電を、高価な半導体を使用しないで、回路損失を少なく、そして、放電量の多い大型ＰＤＰパネルを駆動するにある。【解決手段】  パネル放電前にスイッチを事前に必要期間オンさせてコイルに必要なエネルギーを蓄え、放電期間にはこのスイッチをオフさせて、このコイルからパネル電極にエネルギーを供給して、パネルのセルを放電させる。その後、余ったエネルギーをコイルに回収してから、共振振動を止めて、放電で生じた荷電粒子を上記直列接続された第１の直流電圧と第２の直流電圧で壁電圧としてセル内に付着させる。【選択図】図１
2005221796.tif 000002
【特許請求の範囲】
【請求項１】
対をなす表示電極と、
第１の電源と、第２の電源と、インダクタンス素子とを備える駆動パルス形成手段と、
を備え、
前記駆動パルス形成手段において前記インダクタンス素子は前記表示電極の放電前に前記第１の電源よりエネルギーを蓄積し、前記表示電極の放電時に、前記第１の電源と前記第２の電源の電圧に前記インダクタンス素子に蓄積したエネルギーを重畳させて前記表示電極に対し駆動電圧を印加することを特徴とするプラズマディスプレイ装置。
【請求項２】
前記インダクタンス素子は、前記表示電極とで形成される共振作用を介し、前記表示電極に駆動電圧を印加することを特徴とする請求項１に記載のプラズマディスプレイ装置。
【請求項３】
前記駆動パルス形成手段は、接地側から前記第２の電源、前記第１の電源、前記インダクタンス素子の順に直列接続されてなることを特徴とする請求項１または２に記載のプラズマディスプレイ装置。
【請求項４】
前記インダクタンス素子は、共振作用により前記表示電極の放電後のエネルギーを回収することを特徴とする請求項１または２に記載のプラズマディスプレイ装置。
【請求項５】
前記表示電極の放電後、前記第１の電源の電圧と、前記第２の電源の電圧とで前記表示電極に壁電荷を付着させることを特徴とする請求項１または２に記載のプラズマディスプレイ装置。
【請求項６】
前記第２の電源の電圧は、前記第１の電源の電圧より大きいことを特徴とする請求項１または２に記載のプラズマディスプレイ装置。
【請求項７】
前記表示電極において放電により生じる電荷を回収する電力回収回路を備え、
前記電力回収回路は、前記インダクタンス素子が前記第１の電源よりエネルギーを蓄積している期間に、前記表示電極に対し電力を放出することを特徴とする請求項１または２に記載のプラズマディスプレイ装置。
【請求項８】
前記第１の電源は、交流電源と、入力側が前記交流電源に接続された電源トランスと、前記電源トランスの出力側に接続された整流回路とにより構成されることを特徴とする請求項１または２に記載のプラズマディスプレイ装置。
【請求項９】
対をなす表示電極と、
前記表示電極に電圧を印加して放電を行なわせる駆動パルスを形成する駆動パルス形成手段と、を備えるプラズマディスプレイ装置において、
前記駆動パルス形成手段は、
接地された第２の電源と、
前記第２の電源に直列に接続される第１の電源と、
前記第１の電源の高圧側に直列に接続されるインダクタンス素子と、
前記インダクタンス素子に並列に接続される第１のスイッチと、
前記インダクタンス素子の一端と前記第２の電源の高圧側の間に設けられた第２のスイッチと、
を備えることを特徴とするプラズマディスプレイ装置。
【請求項１０】
プラズマディスプレイの駆動方法において、
表示電極の放電前に第１の電源よりインダクタンス素子にエネルギーを蓄積する第１のステップと、
表示電極の放電時に前記インダクタンス素子に蓄えられたエネルギーを、前記第１の電源の電圧と、前記第１の電源の電圧より大きい第２の電源の電圧とに重畳させて前記表示電極に印加する第２のステップと、
を備えてなるプラズマディスプレイの駆動方法。
【請求項１１】
前記第２のステップは、前記インダクタンス素子と前記表示電極の共振作用により電圧が印加されることを特徴とする請求項１０に記載のプラズマディスプレイの駆動方法。
【発明の詳細な説明】
【技術分野】
【０００１】
本発明は、プラズマディスプレイパネルの発光効率向上に係わり、特に、プラズマディスプレイ装置の駆動に関する。
【背景技術】
【０００２】
プラズマディスプレイパネルは、放電電極を形成した一対の前面基板と背面基板を放電電極が互いに直行するように対向配置し、周縁を封止して、内部に隔壁で囲まれた放電空間を形成し、この放電空間に放電用のガスを封入して、上記直交した電極の交差部に画素を形成する放電セルをマトリクス状に設けた表示パネルである。
【０００３】
プラズマディスプレイパネルには、ＤＣ型と交流型（以下、「ＡＣ型」と称する）がある。ＤＣ型は、電極が、放電ガス中に露出しており、電極に電圧が印加された期間だけ放電を起こす。ＡＣ型では、電極を誘電体で覆うことにより、駆動回路から見た電極負荷を容量性とし、誘電体に蓄積された電荷を利用して駆動制御を行っている。
【０００４】
ＡＣ型プラズマディスプレイパネル（以下、疑義のない限り単に「ＰＤＰ」と記す）の前面基板は、複数の対をなすストライプ状のＸ電極（「共通電極」ともいう）とＹ電極（「走査電極」ともいう）とからなるサスティン電極（「維持電極」、または「表示電極」ともいう）を有し、背面基板はサスティン電極と直交する複数のストライプ状のアドレス電極を有する。そして、サスティン電極とアドレス電極の交差部に上記放電セルが設けられている。
【０００５】
一般に、ＰＤＰの駆動は、１フレーム期間を、輝度階調重みを有する複数サブフィールドに分割し、各々のサブフィールドを、全てのセル電荷を調整値にするリセット期間と、放電（点灯）するセルを選択するアドレス期間と、選択されたセルの放電（この放電を一般に「サスティン放電」、または「維持放電」という）を行うサスティン期間（「維持放電期間」、又は「表示期間」ともいう）とで構成している。従って、画像はサスティン期間でなされ、消費電力の大部分は、この期間で消費される。
【０００６】
サスティン期間では、サスティン電極間（Ｘ電極とＹ電極間）に、交互に極性の異なる駆動電圧を印加して画像を表示しているので、この期間での消費電力を低減するには、Ｘ電極とＹ電極との駆動方法を工夫する必要がある。これに関する技術は、例えば、特許文献１乃至特許文献４などで開示されている。
【０００７】
特許文献１は電力回収回路に関するものである。同文献のサスティン駆動回路は、例えばその第５図で示されており、サスティン放電前に、電圧Ｖｓｓの充電されている回収コンデンサＣｓｓからスイッチＳ１、ダイオードＤ１、回収コイルＬを通じて電流ＩＬでＰＤＰの電極容量（以下、「パネル容量」と記す）Ｃｐを充電した後、電圧Ｖｃｃの直流電源からスイッチＳ３を通じて、Ｖｃｃ電圧をパネル容量Ｃｐに印加させて放電させる。その後、このＣｐにチャージされている電荷を、コイルＬ、ダイオードＤ２、スイッチＳ２を通じて回収する。これで一回の放電が成っている。
【０００８】
すなわち、特許文献１では、パネル容量Ｃｐの充電と放電に回収コイルＬを用い、回収コイルＬとパネル容量Ｃｐとの共振により、コンデンサＣｐで失われるエネルギーの大部分を回収コイルＬを介して回収コンデンサＣｓｓに回収している。
【０００９】
特許文献２は、ＰＤＰの発光効率を向上させて消費電力を低減するために、サスティン電極間に印加するサスティン電圧のパルス波形を、同文献の第１図（ａ）に示すように、短パルスとするとともに、サスティン電圧を低下させるために、短パルスの後に、壁電荷を形成するための低電圧の電圧パルスを伴うようにしたものである。
【００１０】
すなわち、駆動パルス電圧の波形は、放電を開始させるに充分な電圧であると共に、発生した放電で壁電荷が形成され、これによる逆電界の発生により放電が自己停止に至る時間より幅の短いパルス幅を有する第１の電圧パルスと、これに伴う第１の電圧パルスで発生した放電を継続出来る電圧より低く、かつ、放電によって生成された空間電荷の一部が壁電化として付着するような第２の電圧パルスから成る。
【００１１】
特許文献３は、実験結果を基に、幅の短いパルスで放電させることがＰＤＰの発光効率を上げることに有効である、ことを記載している。
【００１２】
特許文献４には、上記文献２で示されている、幅の短いパルスを発生させるために、その図７のように、直流電源ＳＶｐから、スイッチｐ１、コイルＬ、パネル容量Ｃｐａｎｅｌを直列接続の構成にして、スイッチｐ１のオン時に、電源ＳＶｐからコイルＬを通じてパネル容量Ｃｐａｎｅｌを充電する共振動作で、サスティン電極に電源電圧ＳＶｐの２倍の波高値の電圧を発生させて、この電圧で放電させる具体的な回路が記載されている。
【００１３】
【特許文献１】特公平７−１０９５４２号公報
【００１４】
【特許文献２】特許第２８７６６８８号公報
【特許文献３】特開平８−１２４４８５号公報
【特許文献４】特開２００１−１３９１９号公報
【発明の開示】
【発明が解決しようとする課題】
【００１５】
上記した特許文献1は、一般的に知られているサスティン駆動回路であるが、印加電圧が直流電圧であるために、サスティン電極間に印加される印加電圧が一定の直流電圧であり、特許文献３に開示されているようにＰＤＰの発光効率が低い。
【００１６】
また、特許文献２及び３では、発光効率向上のために幅の短いパルスを使用することが、示されているが、具体的な回路手段が記載されていない。もし、本方法を例えば４２インチＰＤＰに適用する場合、例えばパルス電圧（約２５０Ｖ、約０.６μＳ）を、パネル容量〔４２インチのサスティン電極（以下、サスティン電極を便宜上「パネル電極」と記す）を垂直方向に２分割で推定約０.０２μＦ〕に印加して、その間に放電電流（数十Ａピーク）を流すためには、立ち上げの時間が０.1〜０.２μＳの間に、パネル容量を約２５０Ｖまで充電して、その後放電させなければならず、オン／オフスピードが早い半導体スイッチが必要であり、実現が容易ではない。
【００１７】
特許文献４は、細幅パルス放電の具体的回路例をその図７に示しているが、この回路は、電源ＳＶｐから、スイッチｐ１、コイルＬの直列回路を通じて、パネル容量Ｃｐａｎｅｌを充電するＬＣ共振回路構成である。
【００１８】
その等価回路は同文献の図６に示されており、ＳＷ１が閉じて、最初の１／４周期に、電源ＳＶｐからコイルＬとパネル容量Ｃにエネルギーを与え、次の１／４周期にコイルＬに蓄えられていたエネルギーを引き続きパネル容量Ｃにあたえて、電圧を上昇させ、放電開始電圧を超えさせて放電する構成であるが、この回路は、回路の抵抗分Ｒが大きくなるに従って、損失が増大して電圧振動振幅が減少していくが知られている。これは、次式
Ｒ２＜４Ｌ／Ｃ  …  （数１）
の条件のときに、減衰振動になり、この時のパネル容量に発生する電圧Ｖｐは、次式で示される。
【００１９】
【数２】
2005221796.tif 000003
【００２０】
これは、電源電圧ＳＶｐに、次式
【００２１】
【数３】
2005221796.tif 000004
【００２２】
で減衰振動する電圧が重畳されたものと考えられる。Ｒが数１より大きくなれば、すなわち、αが大きくなれば減衰大で急激に振動が停止することがわかる。
【００２３】
実際のパネル電極に寄生しているバスライン抵抗Ｒは、例えば４２インチパネルで数〜数十Ωあると推定され、これによってパネル容量Ｃでの上昇電圧値は理論値の２倍より減少するはずである。この共振回路構成では、電流が流れるループ内に存在する抵抗値によって、コイルに流れる電流が制御され、この抵抗が大きくなるとコイルの蓄積エネルギーが小さくなり、コイルからパネル容量に与えるエネルギーが小さくなる。
【００２４】
この方式で駆動すると、抵抗での損失を考慮して、理論値より大きな共振電源電圧ＳＶｐが必要になる問題が生じ、結果として、４２インチ等の大型ＰＤＰには適さないと推定される。
【００２５】
本発明は上記課題を考慮してなされたもので、その目的は、細幅パルスを用いて発光効率を高めながら、回路損失の大きい大画面のＰＤＰに適用できるプラズマディスプレイパネルの駆動回路を提供することにある。
【課題を解決するための手段】
【００２６】
対をなす表示電極と、第１の電源と、第２の電源と、インダクタンス素子と、を備える駆動パルス形成手段と、を備え、前記駆動パルス形成手段において前記インダクタンス素子は前記表示電極の放電前に前記第１の電源よりエネルギーを蓄積し、前記表示電極の放電時に、前記第１の電源と前記第２の電源の電圧に前記インダクタンス素子に蓄積したエネルギーを重畳させて前記表示電極に対し駆動電圧を印加する構成とする。
【００２７】
より詳細には、例えば、電源トランスの２次巻線から整流して得た第１の直流電源電圧の高圧側にインダクタンス素子であるコイルの一方を接続して、他方をスイッチの一方に接続した直列回路のダイオードのアノード側に接続して、このスイッチの他方をこの第１の電源の低圧側に接続して、さらに、この第１の電源と直列となるように第２の直流電源の高圧側を第１の電源の低圧側に接続して、第２の電源の低圧側は共通電位に接続して、パネル放電前に上記のスイッチを事前に必要期間オンさせてコイルに必要なエネルギーを蓄え、放電期間にはこのスイッチをオフさせて、このコイルからパネル電極にエネルギーを供給して、パネルのセルを放電させた後、余ったエネルギーをコイルに回収してから、共振振動を止めて、放電で生じた荷電粒子を上記直列接続された第１の直流電圧と第２の直流電圧で壁電圧としてセル内に付着させるようにする。
【発明の効果】
【００２８】
電源電圧の増大を抑えつつディスプレイの大画面化が可能である。
【発明を実施するための最良の形態】
【００２９】
以下、本発明の実施形態について、図を用いて詳細に説明する。尚、全図において、共通な機能を有する部分には同一符号を付して示し、一度説明したものについては、煩雑さを避けるため、繰り返した説明を省略する。
【実施例１】
【００３０】
図１は本発明による一実施例を示すサスティン駆動回路、図２は本発明の動作を説明するための図１の各部の信号波形図である。
【００３１】
図１において、サスティン駆動回路は、共通電極駆動回路１００Ａと走査電極駆動回路１００Ｂとからなっており、共通電極駆動回路１００Ａと走査電極駆動回路１００Ｂは交互にＰＤＰ５０を駆動している。これらの駆動回路の動作は駆動タイミングの位相が１８０度異なるだけであり、同じ動作を行う回路部品には同一番号の末尾にＡ，Ｂの符号を付して示し、煩雑さを避けるために、ここでは共通電極駆動回路１００Ａの動作についてのみ説明する。また同じ理由から、図２では共通電極駆動回路１００Ａ側の波形のみを記載している。
【００３２】
共通電極駆動回路１００Ａは、本発明による駆動パルス形成回路３０Ａと、電力回収回路４０Ａと、スイッチ１１Ａと、スイッチ１２Ａとからなる。電力回収回路４０Ａは、例えば前記特許文献１で開示されているもので、パネル容量１３の充電と放電に内蔵する図示しない回収コイルを用い、回収コイルとパネル容量との共振により、パネル容量のコンデンサＣで失われるエネルギーの大部分を回収コイルを介して内蔵する図示しない回収コンデンサに回収するものである。駆動パルス形成回路３０Ａは、電力回収回路４０Ａでパネル容量１３が充電された後、スイッチ１１Ａを介して高電圧の細幅パルスとこれに後続する壁電荷形成のために直流電圧をＰＤＰ５０に供給するものである。
【００３３】
駆動パルス形成回路３０Ａは、第２の直流電源６（電源電圧Ｖｃ）と、第２の直流電源６の高電圧側に直列接続された第１の直流電源２０（電源電圧Ｖａ）と、第１の直流電源２０の高電圧側に接続され、他方がスイッチ１１Ａに接続されたコイル７と、コイル７のスイッチ１１Ａ側と直流電源６の高電圧（直流電源２０の低電圧側）との間に挿入されたスイッチ１０とからなる。なお、詳細は後述するが、Ｖｃ≫Ｖａである。
【００３４】
先ず、図２の信号波形図を参照しながら駆動パルス形成回路３０Ａの動作概要を述べる。スイッチ１２Ａがオンで、対になっている走査電極駆動回路１００Ｂで走査電極のパネル電極１３Ｂを駆動（図２のｅ電圧）している時に、駆動パルス形成回路３０Ａではスイッチ１０をオンして、直流電源２０からコイル７（インダクタンスＬ）に電流Ｉを流し、（１／２）ＬＩ２のエネルギーを蓄える。そして、対の走査電極駆動回路１００Ｂの駆動が終わって、共通電極駆動回路１００Ａの放電期間に移行した時に、スイッチ１０をオフする。この時、コイル７とパネル容量１３はＬＣ直列共振回路を形成し、直流電源６と直流電源２０の加算電圧Ｖｃ＋Ｖａにコイル７に蓄積されたエネルギーを重畳して、スイッチ１１Ａを通じて共通電極のパネル電極１３Ａに与えて、ＰＤＰ５０を放電させる。次に、ＬＣ共振振動をスイッチ８を閉じて止めて、電圧Ｖａと電圧Ｖｃが重畳された直流電圧で、セル内の荷電粒子を壁電荷として、付着させて、この放電期間を終える。
【００３５】
次に、回路動作を図１、図２を用いて詳細に説明する。
先ず、走査電極駆動回路１００ＢでＰＤＰ５０を駆動してサスティン放電（維持放電）させる走査電極駆動期間の時刻ｔ−２で、共通電極駆動回路１００Ａ内の駆動パルス形成回路３０Ａのスイッチ１０をオンさせて、コイル７に第１の直流電源２０から直線的な電流Ｉを流し、（１／２）ＬＩ２のエネルギーを蓄える。そして、走査電極駆動回路１００Ｂのスイッチ１１Ｂをオフ（図示せず）し（開き）、共通電極駆動回路１００Ａのスイッチ１２Ａをオフ（時刻ｔ−１）して、走査電極駆動期間を終える。
【００３６】
次に、走査電極駆動期間から共通電極駆動回路１００ＡでＰＤＰを駆動してサスティン放電（維持放電）させる共通電極駆動期間に移行する。この期間に入ると、先ず、スイッチ１２Ｂがオン（時刻ｔ0）して（閉じて）、電力回収回路４０Ａから、パネル電極１３Ａに回収期間に回収した電荷の放出を行い、パネル容量１３をほぼ電圧Ｖａ＋Ｖｃに充電する。この時、電荷放出時のＬＣ共振で生じる大電流で回路抵抗（例えばパネル電極のバスライン抵抗、電力回収回路４０Ａ内の回収コイルの抵抗分（図示してない））による損失が起こり、この損失により電圧Ｖａ+Ｖｃより幾分低い値となり、ここで、回路抵抗による損失電圧がほぼＶａとすると、パネル容量１３の充電電圧（すなわちパネル電極１３Ａに印加される電圧Ｖｄ）は略Ｖｃとなる。この電力回収回路の電力放出と回収の動作は公知（例えば前記特許文献１に詳細に記載されている）なので、これ以上の説明は省略する。
【００３７】
その後時刻ｔ１でスイッチ１１Ａが閉じて、コイル７からのエネルギー供給前の電圧（Ｖｃ＋スイッチ１０オン電圧）をほぼパネル容量１３が充電されるまで、パネル容量１３に印加する。そして、次に時刻ｔ２でスイッチ１０を開くと、コイル７に充電されていたエネルギーが、直流電源６，２０からの電圧Ｖｃ＋Ｖａに重畳されて、パネル容量１３に移動して、コイル７のインダクタンスＬとパネル容量１３のコンデンサＣで決定する共振条件による細幅のパルスでパネル電極１３Ａの電圧がＶｃから上昇する。電圧Ｖｃからの上昇電圧をＶＬＰとすると、電圧Ｖｃ＋ＶＬＰとパネル電極１３Ａ，１３Ｂに事前に蓄積されていた壁電荷電圧（この壁電荷の電圧は後述するが略Ｖｃ＋Ｖａ）の合計値がパネルで決定している放電開始電圧を越えると放電が起こり、引き続いて共振振動の継続でパネル容量１３の電圧が低下してくる。放電によって、セル内に壁電荷が付着してくるのと、共振で低下してくる電圧で、セル内の電界がゼロになれば放電が停止する。その後振動が継続して、再び電圧が上昇してくるが、共振電圧がほぼＶｂ≒Ｖａとなる時点（時刻ｔ３）でコイル７に並列に接続されているスイッチ８を閉じて、共振振動動作を終了する。この時のパネル電極１３Ａに印加されている電圧Ｖｄは、約Ｖｃ＋Ｖａである。その後、この電圧でセル内に発生している空間電荷の荷電粒子をパネル電極に付着させる（従って、壁電荷の電圧は約Ｖｃ＋Ｖａとなる）。次に、時刻ｔ４でスイッチ８とスイッチ１１Ａを開いて、この放電でパネル容量１３にチャージされている電荷を電力回収回路４０Ａで回収して、時刻ｔ５でスイッチ１２Ｂを開いて共通電極駆動期間を終了する。そして、次にまた走査電極駆動期間に移行する。
【００３８】
次に、パネル容量０.０２μＦ，放電開始電圧２５０Ｖの４２インチＰＤＰに本発明を適用して、細幅パルス０.６μＳでサスティン放電させる場合に必要な回路定数を具体的に説明する。
【００３９】
まず、パネル容量が判っているので、ＬＣ共振条件の式
【００４０】
【数４】
2005221796.tif 000005
【００４１】
から、Ｔ／２＝０．６μＳ，Ｃ＝０．０２μＦとして、コイル７のインダクタンスＬを求めるとＬ＝２μＨとなる。
【００４２】
次に、点灯すべきセルは、壁電圧＋駆動電圧が放電開始電圧（２５０Ｖ）を越え、非点灯のセルでは、駆動電圧自身で放電開始電圧（２５０Ｖ）を越えないことが必要であるので、これを考慮して、放電開始電圧（２５０Ｖ）の半分から壁電圧を１２０Ｖとし、駆動電圧を２１０Ｖと決める。これにより、壁電圧１２０Ｖ＝Ｖｃ＋Ｖａ、駆動電圧２１０Ｖ＝ＶＬＰ＋Ｖｃとなり、Ｖａを＋１０Ｖとすれば、Ｖｃを１１０Ｖと求めることができる。
【００４３】
上述の関係から、コイル７のエネルギーで発生するパルス電圧ＶＬＰは１００Ｖｐと決定され、これは、（１／２）ＬＩ２＝（１／２）ＣＶ２から数５が導かれ、Ｌ，Ｃの値を代入するとＩｐ＝１０Ａ流さなければならない。なお、ＶｐとＩｐの添え字ｐはその値がピーク値を意味するものである。
【００４４】
【数５】
2005221796.tif 000006
【００４５】
また、Ｖ＝Ｌ・ｉ／ｔの関係よりｔ＝Ｌ・ｉ／Ｖとなり値を代入するとスイッチ１０のオンしている期間が２μＳと求まる。
【００４６】
以上述べた設計例は、駆動回路動作例の１つを示したに過ぎず、当然、実際のＰＤＰで最適値を求める必要があることはいうまでもない。
【００４７】
以上述べたように、本発明によれば、予め、低電圧電源２０からコイル７にエネルギーを蓄え、低電圧電源２０と高電圧の電源６とを直列接続した電源に、コイル７に蓄積したエネルギーを重畳させて、ＰＤＰ５０を駆動することにより、パネル電極１３Ａ，１３Ｂのバスライン抵抗が大きい大型のＰＤＰであっても、バスライン抵抗に代表される回路抵抗による損失を前記エネルギーで補償することができるので、高電圧の電源６の電圧を増大させることなく、コイル７のインダクタンスＬとパネル容量１３のコンデンサＣとの共振で生じる細幅パルスを用いて発光効率を高めながら、回路損失の大きい大画面のＰＤＰを駆動することができるプラズマディスプレイ駆動回路を提供することができる。
【００４８】
もし、ＰＤＰの大型化に伴い、パネル電極の抵抗が増大しても、コイル７に蓄積する時間をのばすことによりパネル電極抵抗の損失を補償することができる。
【００４９】
また、本発明では、特許文献４とは異なり、コイル７とパネル容量１３とに直列に接続されるスイッチ１１Ａを閉じた状態で、共振電流を流すことができるので、スイッチ１１Ａを構成する例えばＭＯＳトランジスターにかかる負荷が軽くなり、ＭＯＳトランジスターに極端に早いスイッチング速度が要求されることがなくなるので、安価なＭＯＳトランジスターを用いることができる効果もある。
【００５０】
もし、スイッチ１１Ａを例えばＭＯＳトランジスターで構成する場合、一般に、ＭＯＳトランジスターには導通方向とは逆極性の寄生ダイオードが形成されているので、ＭＯＳトランジスターのスイッチがオフであっても、この寄生ダイオードを介して、基準電位であるグラウンド（ＧＮＤ）から導通方向とは逆方向に電流が流れる。そこで、このような場合には、スイッチ１１Ａに直列に導通方向の極性を持つダイオードを接続すればよい。
【実施例２】
【００５１】
次に、低電圧の直流電源２０の一実施例を図３に示す。
図３において、直流電源電圧Ｖ１をスイッチング電源トランス３の一次巻線に接続し、他方をトランジスター２のコレクタに接続する。トランジスター２のベースには、図示するようなスイッチング駆動波形を入力して、トランジスター２のオン，オフで１次巻線を駆動し、スイッチング電源トランス３の２次巻線に巻線比に応じた電圧を発生させて、これをダイオード４とコンデンサ５で整流して、直流電圧Ｖａを得る。
【００５２】
スイッチング電源トランス３の２次巻線の他方側（ダイオード４の接続された側とは逆側）は、高電圧の直流電源６の高電圧側に接続されており、直流電源２０は直流電源６に直列接続された構成となっている。
【００５３】
このように、本実施例によれば、スイッチング電源トランス３を用いることにより、基準電位である接地電位から分離できるので、直流電源６に直流電源２０を加算することができる。
【００５４】
本実施例では、直流電源２０の電圧Ｖａを形成するのに専用のスイッチング電源トランスを用いたが、これに限定されるものではない。通常ＰＤＰでは、他の電源電圧作成用にもスイッチング電源が用いられているのが一般的であり、このトランスの２次側に本巻線を追加するようにしてもよい。
【図面の簡単な説明】
【００５５】
【図１】本発明の一実施形態であるＡＣ型ＰＤＰの共通電極及び走査電極の駆動回路。
【図２】本発明による共通電極及び走査電極駆動回路の各部電圧、電流波形を示す図。
【図３】低圧直流電源の一回路例を示す図。
【符号の説明】
【００５６】
１、５・・コンデンサ、２・・トランジスター、３・・スイッチング電源トランス、４・・ダイオード、６・・直流電源、７・・コイル、８、１０、１１Ａ、１２Ａ、１１Ｂ、１２Ｂ・・スイッチ、１３・・パネル容量、１３Ａ・・パネル電極、１３Ｂ・・パネル電極、２０・・直流電源、３０Ａ、３０Ｂ・・駆動パルス形成回路、４０Ａ、４０Ｂ・・電力回収回路、５０・・ＰＤＰ
【図１】
2005221796.tif 000007
【図２】
2005221796.tif 000008
【図３】
2005221796.tif 000009